(57)【要約】【課題】記録媒体を確実に収容及び排出することができる情報処理装置を提供する。【解決手段】ＣＤプレーヤ１はＣＤ２を内側に通す挿入口１０が設けられた前面パネル３１を有する機器本体３と機器本体３内に収容されかつ挿入口１０を通されたＣＤ２から情報を読み出すことが可能な再生ユニット４と前面パネル３１と再生ユニット４との間に設けられかつ挿入口１０を通されるＣＤ２を案内するガイド部７と間隔調整機構３０を備えている。ガイド部７が互いの間に前記ＣＤ２が通される一対のガイド部材３７を備えている。間隔調整機構３０はＣＤ２を収容する際のガイド部材３７の縁間の間隔Ｄ１よりＣＤ２を排出する際のガイド部材２７の縁間の間隔Ｄ２が広くなるようにガイド部材３７を移動させる。【選択図】図６
2011204338.tif 000002
【特許請求の範囲】
【請求項１】
記録媒体を内側に通す挿入口が設けられた前面パネルを有する機器本体と、
前記機器本体内に収容されかつ前記挿入口を通された記録媒体から情報を読み出すことが可能な再生ユニットと、
前記前面パネルと前記再生ユニットとの間に設けられかつ前記挿入口を通される記録媒体を案内するガイド部とを備えた情報処理装置において、
前記ガイド部が、前記記録媒体の厚み方向に互いに間隔をあけて互いの間に前記記録媒体が通される一対のガイド部材を備え、
前記ガイド部材の前記再生ユニット寄りの縁が互いに接離するように、前記ガイド部材を移動自在に支持するとともに、前記記録媒体を収容する際の前記ガイド部材の前記縁間の間隔より前記記録媒体を排出する際の前記ガイド部材の前記縁間の間隔が広くなるように、前記ガイド部材を移動させる間隔調整機構を備えたことを特徴とする情報処理装置。
【請求項２】
前記間隔調整機構は、
前記一対のガイド部材の前記記録媒体の移動方向の中央部を互いに回転自在に連結する連結部と、
前記一対のガイド部材の前記縁同士が互いに接離するようにこれら一対のガイド部材の前記連結部を中心とした回転を連動させる連動部と、
前記一対のガイド部材のうち一方のガイド部材を前記連結部を中心として回転させる駆動部と、を備えたことを特徴とする請求項１記載の情報処理装置。
【請求項３】
前記駆動部は、
一端部が前記一方のガイド部材の前記連結部から離れた部分に連結した連結部材と、
前記連結部材の前記一端部を前記記録媒体の移動方向に沿って移動させる駆動源部と、
を備えたことを特徴とする請求項１または請求項２記載の情報処理装置。
【発明の詳細な説明】
【技術分野】
【０００１】
本発明は、例えば、機器本体に収容した記録媒体から情報を読み出す情報処理装置に関する。
【背景技術】
【０００２】
ＣＤ（Compact Disk）やＤＶＤ（Digital Versatile Disc）やＢＤ（Blu-ray Disc）などの記録媒体から情報を読み出す情報処理装置は、箱状の機器本体と、この機器本体内に収容された再生機構などを備えている。機器本体は、情報処理装置の外殻を形成する箱状に形成されている。機器本体は、前述した記録媒体を出し入れする挿入口が設けられた前面パネルと、この前面パネルの外縁から立設した格好の複数の壁を有する箱状の本体部とを備えている。
【０００３】
再生機構は、機器本体の本体部内に収容され、前記前面パネルと間隔をあけて配置されている。再生機構は、該機器本体内に収容された記録媒体の情報を読み出して再生する。
【０００４】
前述した従来の情報処理装置は、前述した挿入口を通して、記録媒体を機器本体内の再生機構に案内するとともに、前記再生機構が排出する記録媒体を挿入口へ案内するガイド部を備えている。ガイド部は、前記挿入口の縁から機器本体の内側に向かって立設した扁平な筒状に形成されている。
【先行技術文献】
【特許文献】
【０００５】
【特許文献１】特開２００５−５６５０５号公報
【発明の概要】
【発明が解決しようとする課題】
【０００６】
前述した従来の情報処理装置のガイド部は、前記前面パネルの挿入口の縁から立設した筒状に形成されて、当該前面パネルに固定されている。このため、前面パネル、機器本体及び再生機構の各々の寸法の公差などにより、これらの相対的な位置がばらついてしまう。
【０００７】
このため、ガイド部と再生ユニットの公差などにより、記録媒体を挿入する際に、当該記録媒体が再生ユニットに引っ掛かりスムーズに当該記録媒体を挿入できなくなる問題が生じたり、排出する記録媒体がガイド部に引っ掛かり当該記録媒体を排出できなくなる問題が生じる虞があった。
【０００８】
したがって、本発明の目的の一例は、記録媒体を確実に収容及び排出することができる情報処理装置を提供することにある。
【課題を解決するための手段】
【０００９】
前記課題を解決し目的を達成するために、請求項１に記載の本発明は、記録媒体を内側に通す挿入口が設けられた前面パネルを有する機器本体と、前記機器本体内に収容されかつ前記挿入口を通された記録媒体から情報を読み出すことが可能な再生ユニットと、前記前面パネルと前記再生ユニットとの間に設けられかつ前記挿入口を通される記録媒体を案内するガイド部とを備えた情報処理装置において、前記ガイド部が、前記記録媒体の厚み方向に互いに間隔をあけて互いの間に前記記録媒体が通される一対のガイド部材を備え、前記ガイド部材の前記再生ユニット寄りの縁が互いに接離するように、前記ガイド部材を移動自在に支持するとともに、前記記録媒体を収容する際の前記ガイド部材の前記縁間の間隔より前記記録媒体を排出する際の前記ガイド部材の前記縁間の間隔が広くなるように、前記ガイド部材を移動させる間隔調整機構を備えたことを特徴としている。
【図面の簡単な説明】
【００１０】
【図１】本発明の一実施例にかかるＣＤプレーヤの斜視図である。
【図２】図１に示されたＣＤプレーヤの再生ユニットなどを示す斜視図である。
【図３】図２に示された再生ユニットにＣＤを挿入し始めた状態を模式的に示す説明図である。
【図４】図３に示された再生ユニットに挿入されたＣＤがキャリッジシャーシとクランプアームとの間に位置した状態を模式的に示す説明図である。
【図５】図４に示されたＣＤがクランプ再生ユニットにクランプされた状態を模式的に示す説明図である。
【図６】図１に示されたＣＤプレーヤの間隔調整機構などを模式的に示す説明図である。
【図７】図６に示された間隔調整機構によりガイド部材の縁間の間隔が広げられた状態を模式的に示す説明図である。
【図８】図６に示されたガイド部材間にＣＤが挿入された状態を模式的に示す説明図である。
【図９】図７に示されたガイド部材間に排出されるＣＤが位置付けられる状態を模式的に示す説明図である。
【図１０】図６に示された間隔調整機構のμＣＯＭの処理手順を示すフローチャートである。
【図１１】図１に示されたＣＤプレーヤのガイド部を模式的に示す正面図である。
【発明を実施するための形態】
【００１１】
以下、本発明の一実施形態にかかる情報処理装置を説明する。本発明の一実施形態にかかる情報処理装置は、記録媒体を案内するガイド部が再生ユニット寄りの縁が互いに接離自在な一対のガイド部材を備え、記録媒体を収容する際のガイド部材の再生ユニット寄りの縁間の間隔よりも記録媒体を排出する際のガイド部材の再生ユニット寄りの縁間の間隔が広くなるように、ガイド部材を移動させる間隔調整機構を備えている。こうすることで、ガイド部のガイド部材や再生ユニットに公差が生じても、記録媒体を収容する際にはガイド部材の縁間の間隔を狭くするので、当該記録媒体が再生ユニットに引っ掛かることなく、ガイド部が記録媒体を再生ユニットまで案内することができる。また、ガイド部のガイド部材や再生ユニットに公差が生じても、記録媒体を排出する際にはガイド部材の縁間の間隔を広くするので、当該記録媒体がガイド部に引っ掛かることなく、ガイド部が記録媒体を機器本体外まで案内することができる。よって、記録媒体を確実に収容及び排出することができる。
【００１２】
また、本実施形態では、間隔調整機構は、ガイド部材の中央部を互いに回転自在に連結する連結部と、ガイド部材の再生ユニット寄りの縁が互いに連動して接離するようにガイド部材の回転を連動させる連動部と、一方のガイド部材を連結部を中心として回転させる駆動部を備えていてもよい。この場合、間隔調整機構は、一方のガイド部材を回転させることで、記録媒体を収容する際のガイド部材の再生ユニット寄りの縁間の間隔よりも記録媒体を排出する際のガイド部材の再生ユニット寄りの縁間の間隔が広くなるように、ガイド部材を互いに連動させて回転させることができる。
【００１３】
さらに、駆動部が、一方のガイド部材の連結部から離れた部分に一端部が連結した連結部材と、連結部材の一端部を記録媒体を移動方向に沿って移動させる駆動源部とを備えていてもよい。この場合、駆動源部が連結部材の一端部を移動させることで、確実にガイド部材を回転させることができ、記録媒体を収容する際のガイド部材の再生ユニット寄りの縁間の間隔よりも記録媒体を排出する際のガイド部材の再生ユニット寄りの縁間の間隔が広くなるように、ガイド部材を互いに連動させて回転させることができる。
【実施例】
【００１４】
以下、本発明の一実施例にかかる情報処理装置の一例としてのＣＤプレーヤ１を、図１ないし図１０に基づいて説明する。図１などに示すＣＤプレーヤ１は、移動体としての自動車のインストルメントパネル（以下、インパネと呼ぶ）などに取り付けられて、記録媒体としてのＣＤ２（図３ないし図５などに一部示す）を一枚収容して、このＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００１５】
ＣＤプレーヤ１は、図２乃至図９に示すように、機器本体３（図１に示す）と、再生ユニット４と、ガイド部７と、間隔調整機構３０と、を備えている。なお、以下、ＣＤ２の表面と後述する搬送ユニット５によるＣＤ２の移動方向との双方と平行な図１中の矢印ＹをＣＤプレーヤ１の奥行き方向と記し、ＣＤ２の表面と平行でかつ前記奥行き方向Ｙと直交する矢印ＸをＣＤプレーヤ１の幅方向と記し、ＣＤ２の表面と奥行き方向Ｙと幅方向Ｘの全てと直交する矢印ＺをＣＤプレーヤ１の厚み方向（即ちＣＤ２の厚み方向Ｚ）と記す。
【００１６】
機器本体３は、ＣＤプレーヤ１の外殻を形成する扁平な箱状に形成されている。機器本体３は、前面パネル３１と、この前面パネル３１に取り付けられた本体部３２とを備えている。前面パネル３１は、ＣＤプレーヤ１が前述したインパネに取り付けると乗員に相対する前壁３３と、この前壁３３の外縁から立設した複数の周壁３４とを備えている。前壁３３には、ＣＤ２を出し入れ可能な挿入口１０が一つ設けられている。なお、前壁３３は、ＣＤプレーヤ１がインパネに取り付けられると、該インパネの外側に露出する機器本体３の一つの壁である。
【００１７】
挿入口１０は、前壁３３を貫通している。挿入口１０は、内側にＣＤ２を通すことができる。挿入口１０を通して、前記ＣＤ２は、外側ケース８即ち機器本体３内に収容されたり、該機器本体３内から排出される。即ち、挿入口１０は、ＣＤ２を機器本体３に出し入れ自在とする。
【００１８】
さらに、前述した前壁３３には、表示パネル１１と、各種のスイッチ１２とが設けられている。
【００１９】
表示パネル１１は、前壁３３の表面に露出して、使用者に対し各種の情報を表示する表示領域としての表示面を備えている。表示パネル１１は、表示面に再生中のプログラム名等の情報を表示する。
【００２０】
各種のスイッチ１２は、前壁３３の表面に露出して、使用者が操作するための操作部を構成している。スイッチ１２が使用者などに操作されることによって、例えば、クランプ再生ユニット６が再生するＣＤ２のプログラムの選択やＣＤ２の出し入れなどが行われる。
【００２１】
本体部３２は、前記前面パネル３１の周壁３４に連なって当該周壁３４に取り付けられる複数の周壁３５と、これら複数の周壁３５の全てに連なりかつ前記前壁３３と間隔をあけて相対する奥壁３６とを備えている。前述した機器本体３は、周壁３４，３５が互いに連なりかつ前壁３３と奥壁３６とが間隔をあけて相対した状態で、前面パネル３１と本体部３２とが互いに取り付けられている。
【００２２】
再生ユニット４は、図２に示すように、機器本体３の本体部３２内に収容されている。再生ユニット４は、シャーシ本体９と、搬送手段としての搬送ユニット５（図４ないし図６に示す）と、クランプ再生手段としてのクランプ再生ユニット６（図４ないし図６に示す）と、図示しない連動手段としての連動機構とを備えている。
【００２３】
シャーシ本体９は、図２などに示すように、複数の折り曲げられた板金などが互いに取り付けられて構成されている。シャーシ本体９は、図２に示すように、略平坦な底壁１３と、該底壁１３に間隔をおいて相対する略平坦な天井壁１５と、これらの底壁１３と天井壁１５とに連なる複数の周壁１４と、を備えている。これらの壁１３，１４，１５には、それぞれ、前記シャーシ本体９の軽量化と剛性の確保とのために、複数の開口部が設けられている。
【００２４】
なお、複数の周壁１４のうち図２中の手前側に位置しかつ前記挿入口１０が設けられた機器本体３の外壁と間隔をあけて重なる一つの周壁１４には、前述した挿入口１０と連通する挿入口１６（図２などに示す）が設けられている。挿入口１６は、勿論、前記一つの周壁１４を貫通して、内側にＣＤ２を通すことができ、ＣＤ２を機器本体３に出し入れ自在とする。
【００２５】
搬送ユニット５は、図４ないし図６などに示すように、ローラアーム１８と、ディスクガイド１７と、を備えている。ローラアーム１８は、挿入口１０の近傍に配されている。ローラアーム１８は、板金などからなるアーム本体１９と、搬送ローラ２２とを備えている。
【００２６】
アーム本体１９は、長手方向が幅方向Ｘと平行な帯状に形成されている。アーム本体１９は、当該アーム本体１９自体の挿入口１６寄りの縁部を中心として底壁１３に回転自在に支持されている。アーム本体１９の回転中心は、幅方向Ｘと平行である。アーム本体１９は、当該アーム本体１９自体の機器本体３の奥側の縁部が底壁１３から離れる方向に、図示しないコイルばねなどによって付勢されている。
【００２７】
搬送ローラ２２は、アーム本体１９の機器本体３の奥側の縁部に回転自在に支持されている。搬送ローラ２２の回転中心は、幅方向Ｘと平行である。搬送ローラ２２の一端部には、図示しない歯車が取り付けられている。アーム本体１９の機器本体３の奥側の縁部が底壁１３から離れた状態において、搬送ローラ２２の歯車は、モータなどにより回転駆動される歯車と噛み合う。搬送ローラ２２は、前記歯車などを介して、モータの回転駆動力によって回転される。アーム本体１９の機器本体３の奥側の縁部が底壁１３に近づいた状態において、搬送ローラ２２の歯車は、前述した歯車と噛み合わない。
【００２８】
ディスクガイド１７は、板金などからなるガイド本体２０と、このガイド本体２０に取り付けられた平板状の滑り部材２１とを備えて、その長手方向が幅方向Ｘと平行な帯状に形成されている。滑り部材２１は、ＣＤ２との摩擦係数の小さな合成樹脂で構成されている。
【００２９】
前述した構成のローラアーム１８とディスクガイド１７は、互いに接離自在に設けられ、かつ互いに近づいて、搬送ローラ２２と滑り部材２１との間にＣＤ２を挟んで、搬送ローラ２２が前述したモータにより回転駆動されることで、機器本体３にＣＤ２を出し入れする。搬送ローラ２２がＣＤ２を機器本体３に出し入れする際に、ディスクガイド１７及びガイド板部２０は、機器本体３に出し入れされるＣＤ２を、クランプ再生ユニット６がクランプできる位置などに案内する。
【００３０】
クランプ再生ユニット６は、図４ないし図６に示すように、キャリッジシャーシ２３と、クランプアーム２４と、を備えている。キャリッジシャーシ２３は、板金などからなるシャーシ本体２５と、該シャーシ本体２５に取り付けられた回転テーブル２８と、シャーシ本体２５に取り付けられた図示しない光ピックアップ部と、を備えている。
【００３１】
シャーシ本体２５は、略平板状に形成されている。回転テーブル２８は、シャーシ本体２５に回転自在に支持されている。回転テーブル２８は、ＣＤ２の中央孔内に侵入する。回転テーブル２８は、シャーシ本体２５に取り付けられた図示しないスピンドルモータの駆動力によって、ＣＤ２を回転させる。
【００３２】
光ピックアップ部は、ＣＤ２に記録された情報を読みとるための光ピックアップと、該光ピックアップを回転テーブルに対し接離させる駆動機構などを備えている。
【００３３】
クランプアーム２４は、板金などからなるアーム本体２６と、クランパ２７と、を備えている。アーム本体２６は、略平板状に形成されている。キャリッジシャーシ２３のシャーシ本体２５に、挿入口１０から離れた端部を中心として回転自在に支持されている。アーム本体２６の回転中心は幅方向Ｘと平行である。アーム本体２６がシャーシ本体２５に近づいた状態では、シャーシ本体２５とアーム本体２６とが略平行になる。
【００３４】
クランパ２７は、回転テーブル２８に相対する位置に配されている。クランパ２７は、円板状に形成されているとともに、アーム本体２６に回転自在に支持されている。クランパ２７は、アーム本体２６がシャーシ本体２５と略平行な状態となると、回転テーブル２８との間にＣＤ２を挟むことができる。さらに、クランプ再生ユニット６のキャリッジシャーシ２３とクランプアーム２４とは、図示しないばねなどの付勢手段により互いに近づく方向に付勢されている。
【００３５】
また、前述した構成のクランプ再生ユニット６は、図示しないゴムなどの弾性体からなるダンパと、コイルばねなどによって、前記機器本体３に対し移動自在にシャーシ本体９内に支持される。クランプ再生ユニット６は、クランプアーム２４のアーム本体２６がキャリッジシャーシ２３に回転自在に支持されることで、これらのキャリッジシャーシ２３とクランプアーム２４とが互いに接離自在に設けられている。クランプ再生ユニット６は、クランプアーム２４とキャリッジシャーシ２３とが互いに近づいて、回転テーブル２８とクランパ２７との間にＣＤ２を挟んで（即ち互いの間にＣＤ２を挟んでクランプし）、回転テーブル５５でＣＤ２を回転させ光ピックアップ部で該ＣＤ２内の情報を読み出す。
【００３６】
そして、クランプ再生ユニット６は、前記自動車の走行中の振動によって機器本体３が振動しても、前記ダンパとコイルばねとによってシャーシ本体９に対し移動する。このように、前記ダンパとコイルばねなどは、前記自動車の走行中の振動などが前記ＣＤ２の情報を読み出す作業に悪影響を与えることを防止する。
【００３７】
連動機構は、機器本体３内にＣＤ２を収容する前には、図４に示すように、搬送ユニット５のローラアーム１８の搬送ローラ２２とディスクガイド１７とを互いに近づけ、クランプ再生ユニット６のキャリッジシャーシ２３とクランプアーム２４とを互いに遠ざけておく。
【００３８】
そして、連動機構は、図５に示すように、機器本体３にＣＤ２が挿入されて、搬送ローラ２２の回転駆動によりＣＤ２がキャリッジシャーシ２３とクランプアーム２４との間に位置付けられると、図６に示すように、クランプ再生ユニット６の回転テーブルとクランパとを互いに近づけて当該クランプ再生ユニット６にＣＤ２をクランプさせるとともに、搬送ローラ２２がディスクガイド１７から離れる方向にローラアーム１８を回転させる。このように、連動機構は、機器本体３内にＣＤ２を収容すると、搬送ユニット５のローラアーム１８の搬送ローラ２２とディスクガイド１７とを互いに離し、クランプ再生ユニット６のキャリッジシャーシ２３とクランプアーム２４とを互いに近づける。
【００３９】
このように、連動機構は、クランプ再生ユニット６のキャリッジシャーシ２３とクランプアーム２４とが互いに近づくと、搬送ユニット５のローラアーム１８の搬送ローラ２２とディスクガイド１７とが互いに離れるとともに、搬送ユニット５のローラアーム１８の搬送ローラ２２とディスクガイド１７とが互いに近づくと、クランプ再生ユニット６のキャリッジシャーシ２３とクランプアーム２４とが互いに離れるように、クランプ再生ユニット６の動作と搬送ユニット５の動作とを互いに連動させる。
【００４０】
ガイド部７は、図８、図９及び図１１に示すように、挿入口１０，１６間即ち前面パネル３１の前壁３３とシャーシ本体９の挿入口１６が設けられた周壁１４との間に設けられている。ガイド部７は、図８及び図９に示すように、前記厚み方向Ｚ即ちＣＤ２の厚み方向に沿って互いに間隔をあけて設けられた一対のガイド部材３７を備えている。
【００４１】
ガイド部材３７は、図１１に示すように、その長手方向が前述した幅方向Ｘと平行な梁状の部材本体３８と、この部材本体３８の端に連なった回動部３９とを備えている。回動部３９は、平板状に形成されている。部材本体３８は、回動部３９の中央部から立設している。部材本体３８は、図１１に示すように、その中央部３８ａが互いに最も離れかつ端部３８ｂが互いに最も近づくように湾曲して形成されている。一対のガイド部材３７は、前記部材本体３８が互いに間隔をあけて相対し、かつ回動部３９が互いに重ねられている。そして、一対のガイド部材３７は、部材本体３８間に機器本体３及び再生ユニット４に出し入れされるＣＤ２を通す。一対のガイド部材３７は、挿入口１０を通して機器本体３外からクランプ再生ユニット６のキャリッジシャーシ２３とクランプアーム２４との間へＣＤ２を案内するとともに、キャリッジシャーシ２３とクランプアーム２４との間から挿入口１０を通して機器本体３外へＣＤ２を案内する。
【００４２】
間隔調整機構３０は、図６及び図７に示すように、連結部としての連結ピン４０と、連動部４１と、駆動部４２と、検出用のスイッチ４３と、図示しない制御手段としてのμＣＯＭとを備えている。
【００４３】
連結ピン４０は、長手方向が幅方向Ｘと平行な円柱状に形成されている。連結ピン４０は、一対のガイド部材３７の回動部３９の奥行き方向Ｙ（即ちＣＤ２の移動方向）の中央部でかつ互いに重なる部分を貫通して、これらに取り付けられている。連結ピン４０は、一対のガイド部材３７のうちの一方のガイド部材３７の回動部３９に固定されかつ他方のガイド部材３７の回動部３９には固定されていない。こうすることで、連結ピン４０は、当該連結ピン４０を中心として回転自在に一対のガイド部材３７の回動部３９を連結している。また、連結ピン４０は、前面パネル３１にもその軸芯周りに回転自在に支持されている。このため、一対のガイド部材３７は、前面パネル３１即ち機器本体３に対して連結ピン４０を中心として回転自在に設けられている。即ち、一対のガイド部材３７は、連結ピン４０を中心として回転自在に設けられることで、再生ユニット４寄りの縁が互いに接離（近づいたり離れたり）するように、連結ピン４０により移動自在に支持されている。
【００４４】
連動部４１は、一方のガイド部材３７に設けられた長孔４４と、他方のガイド部材３７に設けられた連動ピン４５とを備えている。長孔４４は、一方のガイド部材３７の回動部３９を貫通している。長孔４４は、前記連結ピン４０を中心とした径方向に沿って直線状に延在している。連動ピン４５は、他方のガイド部材３７の回動部３９から凸の円柱状に形成され、長孔４４内に侵入して、当該長孔４４内を移動自在となる。
【００４５】
前述した連動部４１は、連動ピン４５が長孔４４内に侵入し、連動ピン４５が長孔４４内を移動することで、再生ユニット４寄りの縁が互いに近づくように、一対のガイド部材３７の連結ピン４０を中心とした回転を連動させるとともに、再生ユニット４寄りの縁が互いに離れるように、一対のガイド部材３７の連結ピン４０を中心とした回転を連動させる。こうして、連動部４１は、一対のガイド部材３７の再生ユニット４寄りの縁が互いに接離するように、これら一対のガイド部材３７の連結ピン４０を中心とした回転を連動させる。
【００４６】
駆動部４２は、図６及び図７に示すように、連結部材としての駆動アーム４６と、駆動源部４７とを備えている。駆動アーム４６は、長手方向が奥行き方向Ｙと平行な帯板状に形成されている。駆動アーム４６は、その一端部が一方のガイド部材３７の回動部３９に重なりかつ他端部が再生ユニット４のシャーシ本体９内に収容されている。また、駆動アーム４６は、奥行き方向Ｙに沿って移動自在に当該シャーシ本体９に支持されている。また、駆動アーム４６の一方の縁には、ラック４８が一体に設けられている。ラック４８には、勿論、複数の歯が駆動アーム４６の長手方向即ち奥行き方向Ｙに沿って等間隔に設けられている。
【００４７】
また、駆動アーム４６の一端部には、長手方向が当該駆動アーム４６の幅方向Ｘ即ち厚み方向Ｚと平行な長孔４９ａが設けられている。長孔４９ａには、前記一方のガイド部材３７の奥行き方向Ｙの中央部でかつ連結ピン４０から離れた部分から立設した連結ピン４９ｂが侵入している。連結ピン４９ｂは、長孔４９ａ内で当該長孔４９ａの長手方向に沿って移動自在となる。このように、駆動アーム４６の一端部が、前述した一方のガイド部材３７の連結ピン４０から離れた部分に連結されているとともに、前述した長孔４９ａと連結ピン４９ｂにより駆動アーム４６即ち当該駆動アーム４６の一端部が奥行き方向Ｙ即ちＣＤ２の移動方向に移動すると、ガイド部材３７は、連結ピン４０を中心として回転する。
【００４８】
なお、図示例では、駆動アーム４６が前面パネル３１側に移動すると、再生ユニット４寄りの縁が互いに離れるように一対のガイド部材３７が互いに連動して回転する。駆動アーム４６が前面パネル３１から離れる側に移動すると、再生ユニット４寄りの縁が互いに近づくように一対のガイド部材３７が互いに連動して回転する。このように、前述した長孔４９ａと連結ピン４９ｂにより、駆動アーム４６の移動と一対のガイド部材３７の回転とが互いに連動する。なお、このとき、長孔４９ａ内を連結ピン４９ｂが移動することで、駆動アーム４６の移動と一対のガイド部材３７の回転との連動が妨げられることがない。
【００４９】
駆動源部４７は、駆動源としてのモータ５０と、複数の歯車５１とを備えている。モータ５０は、シャーシ本体９の底壁１３に取り付けられている。モータ５０は、その出力軸が幅方向Ｘと平行に配置されている。また、モータ５０の出力軸には、ピニオン５２が取り付けられている。歯車５１は、図示例では、一対設けられている。一対の歯車５１は、幅方向と平行な軸芯回りに回転自在にシャーシ本体９に支持されている。一対の歯車５１は、互いに噛合している。一方の歯車５１は、ピニオン５２と噛合し、他方の歯車５１は、ラック４８と噛合している。
【００５０】
前述した構成の駆動部４２は、モータ５０が回転することで、駆動アーム４６を奥行き方向Ｙに沿って移動させ、一対のガイド部材３７を連結ピン４０を中心として回転させる。
【００５１】
スイッチ４３は、本体部５３と、この本体部５３から凸没自在でかつ突出する方向に付勢された接触子５４とを備えている。本体部５３は、シャーシ本体９の天井壁１５に取り付けられている。接触子５４は、本体部５３に没すると、当該本体部５３内の接点を閉じて、スイッチ４３をオンとする。接触子５４は、本体部５３から突出すると、当該本体部５３内の接点を開放して、スイッチ４３をオフとする。スイッチ４３は、接触子５４が本体部５３に没するとオンとされ、本体部５３から突出するとオフとされる。
【００５２】
また、スイッチ４３は、一対のガイド部材３７の再生ユニット４寄りの縁が互いに近づく位置に位置付けられた駆動アーム４６により接触子５４が押圧されて本体部５３内に没し、一対のガイド部材３７の再生ユニット４寄りの縁が互いに離れた位置に位置付けられた駆動アーム４６により接触子５４が押圧されずに本体部５３から突出する位置に設けられている。
【００５３】
μＣＯＭは、プログラムに従って各種の処理を行う中央処理ユニット（ＣＰＵ）と、ＣＰＵが行う処理のプログラムなどを格納した読み取り専用のメモリであるＲＯＭと、ＣＰＵでの各種の処理過程で利用するワークエリア、各種データを格納するデータ格納エリアなどを有する読み取り書き込み自在のメモリであるＲＡＭなどを内蔵し、これらがバスラインによって互いに接続されている。
【００５４】
μＣＯＭは、再生ユニット４、モータ５０及びスイッチ４３と接続しており、スイッチ１２から入力された命令などを示す情報に応じて、モータ５０の動作を制御して、間隔調整機構３０の制御を司る。
【００５５】
μＣＯＭは、図１０中のステップＳ１において、機器本体３へのＣＤ２の挿入前、及びＣＤ２の情報を読み出して再生中または再生を停止している状態では、図６及び図８に示すように、ガイド部材３７の再生ユニット４寄りの縁が互いに近づいた待機状態に一対のガイド部材３７を位置付けておく。なお、このとき、勿論、スイッチ４３は、駆動アーム４６によりオンとされている。そして、ステップＳ２に進む。
【００５６】
μＣＯＭは、ステップＳ２では、ＣＤ２を排出するためのスイッチ１２が操作されたか否かを判定し、操作されると、ステップＳ３に進み、操作されていないと、ステップＳ１に戻り、ステップＳ１とステップＳ２を繰り返す。ステップＳ３では、μＣＯＭは、モータを駆動して、駆動アーム４６を前面パネル３１に向かって移動させて、ステップＳ４に進む。
【００５７】
μＣＯＭは、ステップＳ４では、検出用のスイッチ４３がオフとされているか否かを判定し、オフとされていると、ステップＳ５に進み、オフとされていないと、ステップＳ３に戻り、ステップＳ３とステップＳ４を繰り返す。ステップＳ５では、μＣＯＭは、モータを停止して、ステップＳ６に進む。こうして、μＣＯＭは、スイッチ４３がオフとなるまで、モータ５０を駆動して、駆動アーム４６を移動させる。そして、図７及び図９に示すように、ガイド部材３７の再生ユニット４寄りの縁が互いに離れた状態に一対のガイド部材３７が位置付けられ、搬送ユニット５の搬送ローラ２２が回転してＣＤ２が機器本体３外に搬送され、ＣＤ２の大部分が機器本体３外に位置付けられ、一部が挿入口１０内に挿入された状態となっている。
【００５８】
μＣＯＭは、ステップＳ６では、再生ユニット４の図示しない検出スイッチにより挿入口１０からＣＤ２が抜き取られたか否かを判定し、ＣＤ２が挿入口１０から抜き取られたと判定すると、ステップＳ７に進み、抜き取られていないと判定すると、ステップＳ５に戻り、ステップＳ５とステップＳ６を繰り返す。こうして、μＣＯＭは、ＣＤ２が挿入口１０から抜き取られまで、モータ５０を停止しておく。
【００５９】
μＣＯＭは、ステップＳ７では、μＣＯＭは、モータ５０を駆動して、駆動アーム４６を前面パネル３１から離れる方向に移動させて、ステップＳ８に進む。μＣＯＭは、ステップＳ８では、検出用のスイッチ４３がオンとされているか否かを判定し、オンとされていると、ステップＳ９に進み、オンとされていないと、ステップＳ７に戻り、ステップＳ７とステップＳ８を繰り返す。ステップＳ９では、μＣＯＭは、モータ５０を停止して、ステップＳ１に戻る。こうして、μＣＯＭは、スイッチ４３がオンとなるまで、モータ５０を駆動して、駆動アーム４６を移動させる。そして、図６及び図８に示すように、ガイド部材３７の再生ユニット４寄りの縁が互いに近づいた待機状態に一対のガイド部材３７が位置付けられる。
【００６０】
こうして、間隔調整機構３０は、ガイド部材３７の再生ユニット４寄りの縁が互いに接離するように、ガイド部材３７を移動自在に支持している。また、間隔調整機構３０は、ＣＤ２を収容する際の待機状態でのガイド部材３７の中央部３８ａの再生ユニット４寄りの縁間の間隔Ｄ１（図８に示す）より、ＣＤ２を排出する際のガイド部材３７の中央部３８ａの再生ユニット４寄りの縁間の間隔Ｄ２（図９に示す）が広くなるように、一対のガイド部材３７を移動させる。
【００６１】
本実施例によれば、ＣＤ２を案内するガイド部７が再生ユニット４寄りの縁が互いに接離自在な一対のガイド部材３７を備え、ＣＤ２を収容する際のガイド部材３７の中央部３８ａの再生ユニット４寄りの縁間の間隔Ｄ１よりもＣＤ２を排出する際のガイド部材３７の中央部３８ａの再生ユニット４寄りの縁間の間隔Ｄ２が広くなるように、ガイド部材３７を移動させる間隔調整機構３０を備えている。このために、ガイド部７のガイド部材３７や再生ユニット４に公差が生じても、ＣＤ２を収容する際にはガイド部材３７の中央部３８ａの縁間の間隔Ｄ１を狭くするので、当該ＣＤ２が再生ユニット４に引っ掛かることなく、ガイド部７がＣＤ２を再生ユニット４まで案内することができる。また、ガイド部７のガイド部材３７や再生ユニット４に公差が生じても、ＣＤ２を排出する際にはガイド部材３７の中央部３８ａの縁間の間隔Ｄ２を広くするので、当該ＣＤ２がガイド部７に引っ掛かることなく、ガイド部７がＣＤ２を機器本体３外まで案内することができる。よって、ＣＤ２を確実に収容及び排出することができる。
【００６２】
また、間隔調整機構３０は、ガイド部材３７の中央部を互いに回転自在に連結する連結ピン４０と、ガイド部材３７の再生ユニット４寄りの縁が互いに連動して接離するようにガイド部材３７の回転を連動させる連動部４１と一方のガイド部材３７を連結ピン４０を中心として回転させる駆動部４２を備えている。このために、間隔調整機構３０は、一方のガイド部材３７を回転させることで、ＣＤ２を収容する際のガイド部材３７の中央部３８ａの再生ユニット４寄りの縁間の間隔Ｄ１よりもＣＤ２を排出する際のガイド部材３７の中央部３８ａの再生ユニット４寄りの縁間の間隔Ｄ２が広くなるように、ガイド部材３７を互いに連動させて回転させることができる。
【００６３】
さらに、駆動部４２が、一方のガイド部材３７の連結ピン４０から離れた部分に一端部が連結した駆動アーム４６と、駆動アーム４６の一端部をＣＤ２を移動方向に沿って移動させる駆動源部４７とを備えている。このために、駆動源部４７が駆動アーム４６の一端部を移動させることで、確実にガイド部材３７を回転させることができ、ＣＤ２を収容する際のガイド部材３７の中央部３８ａの再生ユニット４寄りの縁間の間隔Ｄ１よりもＣＤ２を排出する際のガイド部材３７の中央部３８ａの再生ユニット４寄りの縁間の間隔Ｄ２が広くなるように、ガイド部材３７を互いに連動させて回転させることができる。
【００６４】
前述した実施例によれば、以下のＣＤプレーヤ１が得られる。
【００６５】
（付記）  ＣＤ２を内側に通す挿入口１０が設けられた前面パネル３１を有する機器本体３と、
前記機器本体３内に収容されかつ前記挿入口１０を通されたＣＤ２から情報を読み出すことが可能な再生ユニット４と、
前記前面パネル３１と前記再生ユニット４との間に設けられかつ前記挿入口１０を通されるＣＤ２を案内するガイド部７とを備えたＣＤプレーヤ１において、
前記ガイド部７が、前記ＣＤ２の厚み方向に互いに間隔をあけて互いの間に前記ＣＤ２が通される一対のガイド部材３７を備え、
前記ガイド部材３７の前記再生ユニット４寄りの縁が互いに接離するように、前記ガイド部材３７を移動自在に支持するとともに、前記ＣＤ２を収容する際の前記ガイド部材３７の前記縁間の間隔Ｄ１より前記ＣＤ２を排出する際の前記ガイド部材２７の前記縁間の間隔Ｄ２が広くなるように、前記ガイド部材３７を移動させる間隔調整機構３０を備えたことを特徴とするＣＤプレーヤ１。
【００６６】
付記によれば、ＣＤ２を案内するガイド部７が再生ユニット４寄りの縁が互いに接離自在な一対のガイド部材３７を備え、ＣＤ２を収容する際のガイド部材３７の再生ユニット４寄りの縁間の間隔Ｄ１よりもＣＤ２を排出する際のガイド部材３７の再生ユニット４寄りの縁間の間隔Ｄ２が広くなるように、ガイド部材３７を移動させる間隔調整機構３０を備えている。このために、ガイド部７のガイド部材３７や再生ユニット４に公差が生じても、ＣＤ２を収容する際にはガイド部材３７の縁間の間隔Ｄ１を狭くするので、当該ＣＤ２が再生ユニット４に引っ掛かることなく、ガイド部７がＣＤ２を再生ユニット４まで案内することができる。また、ガイド部７のガイド部材３７や再生ユニット４に公差が生じても、ＣＤ２を排出する際にはガイド部材３７の縁間の間隔Ｄ２を広くするので、当該ＣＤ２がガイド部７に引っ掛かることなく、ガイド部７がＣＤ２を機器本体３外まで案内することができる。よって、ＣＤ２を確実に収容及び排出することができる。
【００６７】
本発明では、ＣＤ２に限らず、種々の記録媒体から情報を読み出す情報処理装置としても良い。また、本発明では、ガイド部材３７を回転移動させることに限定されずに、当該、ガイド部材３７を厚み方向Ｚにスライド移動させてもよい。要するに、再生ユニット４よりの縁の間隔Ｄ１，Ｄ２が前述したように狭くなったり広くなるように、ガイド部材３７を移動させればよい。
【００６８】
なお、前述した実施例は本発明の代表的な形態を示したに過ぎず、本発明は、実施例に限定されるものではない。即ち、本発明の骨子を逸脱しない範囲で種々変形して実施することができる。
【符号の説明】
【００６９】
１  ＣＤプレーヤ（情報処理装置）
２  ＣＤ（記録媒体）
３  機器本体
４  再生ユニット
１０  挿入口
３０  間隔調整機構
３１  前面パネル
３７  ガイド部材
４０  連結ピン（連結部）
４１  連動部
４２  駆動部
４６  駆動アーム
４７  駆動源部
Ｄ１，Ｄ２  間隔
Ｚ  厚み方向
【図１】
2011204338.tif 000003
【図２】
2011204338.tif 000004
【図３】
2011204338.tif 000005
【図４】
2011204338.tif 000006
【図５】
2011204338.tif 000007
【図６】
2011204338.tif 000008
【図７】
2011204338.tif 000009
【図８】
2011204338.tif 000010
【図９】
2011204338.tif 000011
【図１０】
2011204338.tif 000012
【図１１】
2011204338.tif 000013